(57)【要約】【課題】簡易な構成で小型、軽量で取り扱いや携帯が容易となり、プロジェクタ固有の設置スペースを必要としないプロジェクタ機能付映像表示装置および映像表示システムを提供する【解決手段】本発明のプロジェクタ機能付映像表示装置１は、本体部２と、第１表示部３と、光源部１１、液晶パネル１２、ミラー１３、レンズ部１４からなる光学系１０と、切替ミラー３０と、支持部材４０と、外部表示部５０と、を主に備えて構成される。  また、本発明のプロジェクタ機能付映像表示システム１００は、プロジェクタ機能付映像表示装置１と、外部表示部５０と、を主に備えて構成される。【選択図】図１
2008076814.tif 000002
【特許請求の範囲】
【請求項１】
表示手段に映像用光を投射して投射映像として表示させるプロジェクタ機能を備えたプロジェクタ機能付映像表示装置であって、
制御手段を有する本体部と、この本体部に回動可能に枢設され前記映像用光を透過させて投射映像を表示する透過型スクリーンを有する本体表示部と、前記本体部の後部側に離間させて接続され前記本体部から送られる映像信号を映像用光として出力する光学ユニットと、前記光学ユニットから出力される映像用光を前記本体表示部または外部に設置した外部表示部に切替えて反射する切替ミラーと、前記切替ミラーを前記本体表示部の背面側に離間させて回動可能に支持する支持部材と、を備え、
前記光学ユニットは、光源部と、前記光源部からの光を透過させて前記映像信号を映像用光に変換する液晶パネルと、前記液晶パネルを透過した前記映像用光を反射して光路を変更する光路変更ミラーと、前記光路変更ミラーで反射した前記映像用光を拡大して前記切替ミラーに送るレンズ部と、
を備えたことを特徴とするプロジェクタ機能付映像表示装置。
【請求項２】
前記支持部材は、支持アームと、この支持アームにスライド自在に設けられたスライドアームと、を有し、前記支持アームの一端部が前記本体表示部の側面部に回動部を介して取り付けられ、前記スライドアームの他端部が前記切替ミラーの側面部に回動部を介して取り付けられたことを特徴とする請求項１に記載のプロジェクタ機能付映像表示装置。
【請求項３】
前記本体部は、ノート型パソコンの本体であることを特徴とする請求項１または請求項２に記載のプロジェクタ機能付映像表示装置。
【請求項４】
請求項１から請求項３のいずれかに記載のプロジェクタ機能付映像表示装置と、前記プロジェクタ機能付映像表示装置に離間して配置され、前記切替ミラーで投射された前記映像を表示する前記外部表示部と、
を備えたことを特徴とするプロジェクタ機能付映像表示システム。
【発明の詳細な説明】
【技術分野】
【０００１】
本発明は、プロジェクタ機能付映像表示装置および映像表示システムに関し、特に、遠方への映像の拡大表示と映像表示装置の表示手段への映像の表示に同一の光学ユニットを使用するプロジェクタ機能付映像表示装置および映像表示システムに関する。
【背景技術】
【０００２】
従来、ノート型パソコン等の携帯型の映像表示装置のディスプレイ上に表示した映像を一度に多人数が見ることができるようにするために、例えば、ノート型パソコンにケーブルを介してプロジェクタを接続し、このプロジェクタを用いて、ディスプレイ上に表示された映像を、遠方に設けられたスクリーン上に投影して拡大表示していた。
しかしながら、このような手段によると、ノート型パソコンと別体のプロジェクタやケーブルが必要となってしまう。特に、プロジェクタは大型装置であることから、持ち運びが不便であり、ノート型パソコンの携帯性を低下させていた。また、このような設備の導入費用が高額となっていた。
【０００３】
このような問題に鑑み、特許文献１に示すようなプロジェクタが開発された。
特許文献１に示すプロジェクタは、透過型の液晶パネルと、液晶パネルを後方から照らすバックライト等を備えた背面板とを有し、背面板が着脱自在に構成された液晶表示部を備えたノート型コンピュータの表示画像を投射画像としてスクリーンに表示するプロジェクタであって、背面板を取り外した液晶表示部を収納する筐体状のプロジェクタ本体と、プロジェクタ本体内に配設した液晶表示部を前方から照らす光源手段と、プロジェクタ本体の背面側に取り付けられ、プロジェクタ本体内に収納された液晶表示部の後方に位置するレンズ部とを備え、このような構成を備えた筐体状のプロジェクタ本体をノート型パソコンに被せて使用するものである。
【特許文献１】特開平９−９０５０３号公報（図１）
【発明の開示】
【発明が解決しようとする課題】
【０００４】
しかしながら、特許文献１に示すプロジェクタは、筐体状のプロジェクタ本体の内部に各部材を収納する大掛かりな構成であるため、装置全体が大型となり、重量も重く、装置全体を移動させるなどの取り扱いや、携帯に不便であった。また、製造費用が高額となっていた。
【０００５】
本発明は、前記課題に鑑みてなされたものであり、簡易な構成で小型、軽量であり、取り扱いや携帯の容易なプロジェクタ機能付映像表示装置および映像表示システムを提供することを目的とする。
【課題を解決するための手段】
【０００６】
前記課題を解決した本発明は、表示手段に映像用光を投射して投射映像として表示させるプロジェクタ機能を備えたプロジェクタ機能付映像表示装置であって、制御手段を有する本体部と、この本体部に回動可能に枢設され前記映像用光を透過させて投射映像を表示する透過型スクリーンを有する本体表示部と、前記本体部の後部側に離間させて接続され前記本体部から送られる映像信号を映像用光として出力する光学ユニットと、前記光学ユニットから出力される映像用光を前記本体表示部または外部に設置した外部表示部に切替えて反射する切替ミラーと、前記切替ミラーを前記本体表示部の背面側に離間させて回動可能に支持する支持部材と、を備え、前記光学ユニットは、光源部と、前記光源部からの光を透過させて前記映像信号を映像用光に変換する液晶パネルと、前記液晶パネルを透過した前記映像用光を反射して光路を変更する光路変更ミラーと、前記光路変更ミラーで反射した前記映像用光を拡大して前記切替ミラーに送るレンズ部と、を備えた構成とした。
【０００７】
このような構成によれば、プロジェクタ機能付映像表示装置は、本体部の制御手段から送信される映像信号が光学ユニットの光源部、液晶パネルを介して映像用光に変換されて、この映像用光が光路変更ミラーにより光路を変更されてレンズ部に入射し、レンズ部から上方の切替ミラーに送られる。そして、プロジェクタ機能付映像表示装置は、切替ミラーにより映像用光の反射方向を切り替えて、映像用光を、本体表示部の透過型スクリーンに投射映像として表示する。また、プロジェクタ機能付映像表示装置は、切替ミラーの反射方向を所定角度において回動させて切り替えることで、あらかじめ外部に設置された外部表示部へ反射して投射映像として表示する。
【０００８】
また、本発明のプロジェクタ機能付映像表示装置において、前記支持部材は、支持アームと、この支持アームにスライド自在に設けられたスライドアームと、を有し、前記支持アームの一端部が前記本体表示部の側面部に回動部を介して取り付けられ、前記スライドアームの他端部が前記切替ミラーの側面部に回動部を介して取り付けられていてもよい。
【０００９】
このような構成によれば、プロジェクタ機能付映像表示装置は、スライドアームを支持アームに沿ってスライドさせて支持部材の全体を収縮させ、この状態で、支持アームの回動部を支点として支持アームおよび支持アームに沿ってスライドアームを本体表示部側へ回動させるとともに、切替ミラーが本体表示部の背面側に重なり合うように、切替ミラーを回動部を支点として回動させることにより、切替ミラーを本体表示部側に折りたたむことができる。
【００１０】
また、本発明のプロジェクタ機能付映像表示装置において、前記本体部は、ノート型パソコンの本体であってもよい。
このように構成されたプロジェクタ機能付映像表示装置は、投射映像となる画像や文字などのデータを作成し、あるいは、蓄積することができる。そして、プロジェクタ機能付映像表示装置は、このデータを投射映像として、本体表示部、または、外部に設置された外部表示部に表示させることができる。
【００１１】
また、本発明のプロジェクタ機能付映像表示システムは、請求項１から請求項３のいずれかに記載されたプロジェクタ機能付映像表示装置と、前記プロジェクタ機能付映像表示装置に離間して配置され、前記切替ミラーで反射された前記映像を表示する前記外部表示部と、を備える。
【００１２】
このように構成されたプロジェクタ機能付映像表示システムは、別途、プロジェクタを使用しなくても、投射映像を本体表示部、または、外部に設置された外部表示部に表示させることができる。
【発明の効果】
【００１３】
本発明のプロジェクタ機能付映像表示装置によれば、切替ミラーの反射方向を所定角度において回動させて切り替えることで、同一の光学ユニットから切替ミラーに入射した映像用光を、本体表示部への映像の表示と、外部に設置された外部表示部への映像の表示に共用することができるため、プロジェクタ機能付映像表示装置の構成が簡単となり、プロジェクタ機能付映像表示装置を小型化、軽量化することができ、プロジェクタ機能付映像表示装置の取り扱いや携帯が容易となる。
【００１４】
また、切替ミラーを本体表示部側に折りたたむことにより、プロジェクタ機能付映像表示装置を小型化することができ、プロジェクタ機能付映像表示装置の取り扱いや携帯がさらに容易となる。
【００１５】
また、本体部をノート型パソコンの本体とすることで、投射映像となる画像や文字などのデータを作成し、あるいは、蓄積することができる。そして、プロジェクタ機能付映像表示装置は、このデータを投射映像として、本体表示部、または、外部に設置された外部表示部に表示させることができ、利便性が高くなる。
【００１６】
また、本発明のプロジェクタ機能付映像表示システムによれば、別途プロジェクタを使用しなくても、本体表示部またはあらかじめ外部に設置した外部表示部に投射映像を表示させることができるため、プロジェクタ固有の設置スペースが不要となり、省スペース化を図ることができる。
【発明を実施するための最良の形態】
【００１７】
以下、本発明のプロジェクタ機能付映像表示装置の実施形態について図面を参照して説明する。参照する図面において、図１は、本発明のプロジェクタ機能付映像表示装置の全体構成図であって、切替ミラーが外部表示部の正面側に映像用光を反射する様子を示す図であり、図２は、本発明のプロジェクタ機能付映像表示装置の映像表示装置本体を後方からみた斜視図であり、図３は、本発明のプロジェクタ機能付映像表示装置の全体構成図であって、切替ミラーが本体表示部の背面側に映像用光を反射する様子を示す図であり、図４は、本発明のプロジェクタ機能付映像表示装置の光学ユニットを上面から見た状態の部分拡大図である。
なお、本明細書中の説明において、上下前後は、図中に記載された方向を基準とする。また、後記する本体表示部３と後記する外部表示部５０については、前方を正面、後方を背面ということにする。
なお、図１と図３とは、後記する切替ミラー３０の切替方向が相違するのみで、構成としては同様であるため、図１を代表図として説明する。
【００１８】
図１に示すように、プロジェクタ機能付映像表示装置１は、主に、本体部２と本体表示部３と、からなる映像表示装置本体１ａと、本体部２に接続される光学ユニット１０と、光学ユニット１０の上方に位置する切替ミラー３０と、切替ミラー３０を本体表示部３の背面側から離間して支持する支持部材４０と、を有して構成される。
映像表示装置本体１ａとしては、例えば、ノート型パソコン、ＤＶＤプレーヤーなどを用いることができる。
【００１９】
図２に示すように、映像表示装置本体１ａの本体部２は、本体表示部３を含まない部分であって、上面部に、ユーザが各種情報を入力する入力手段として、例えば、キーボード４、マウスパッド８、トラックボール（図示しない）などが設けられている。
【００２０】
また、本体部２の内部には、ユーザによってキーボード４から入力された入力信号に基づき、後記する光源部１１（図１参照）に制御信号を送信し、または、後記する液晶パネル１２（図１参照）に元映像を表示させる映像信号を送信する制御手段（図示しない）を備えている。ここで、元映像とは、後記する光源部１１からの光をあてる前の映像をいう。
また、制御手段（図示しない）は、表示手段に応じて、元映像を鏡像反転させて後記する液晶パネル１２（図１参照）上に表示させる。詳しくは、後記する。
また、制御手段（図示しない）は、処理手段、記憶手段などを備えており、投射映像となる文字や画像のデータを作成し、または、蓄積することができる。
【００２１】
本体表示部３は、本体部２の上面端部付近に回動部５（図１参照）を介して本体部２側へ回動可能に枢設されており、主に、外枠６と、透過型スクリーン７と、を有して構成される。
図２に示すように、外枠６は、プラスチックなどで形成された長方形状の平板の内側に開口部を有している
この開口部に透過型スクリーン７が嵌め込まれて、透過型スクリーン７の正面部および背面部が露出した状態となっている。
なお、本体表示部３は、ユーザの操作用に各種の操作ボタンを有していてもよい。
【００２２】
透過型スクリーン７は、映像表示装置本体１ａの表示手段であって、映像用光を透過させて、投射映像として表示するものである。
透過型スクリーン７としては、アクリル素材、または、透過型液晶などを加工したものなど、公知のものが適宜用いられる。
【００２３】
再び図１に示すように、本体部２の後部側には、支持部材２０を介して光学ユニット１０が接続されている。
光学ユニット１０は、制御手段（図示しない）から送信された映像信号を映像用光に変換して、この映像用光を後記する切替ミラー３０に入射させるものであって、図１または、図４に示すように、筐体１６内に、光源部１１と、光源部１１の後方に配置される液晶パネル１２と、液晶パネル１２の後方に配置される光路変更ミラー１３と、光路変更ミラー１３の上方に、光路変更ミラー１３と同軸上に配置されるレンズ部１４と、を有して構成されている。
なお、図４に示すように、筐体１６の内部には、冷却ファン１５が取り付けられており、光源部１１を冷却している。
【００２４】
図１または図４に示すように、光源部１１は、透過型スクリーン７、または、外部表示部５０へ投射映像を表示するための光源となるものであって、制御手段（図示しない）から送信された制御信号に基づいて発光する。光源部１１から発せられた光は、液晶パネル１２を前方から照らし、また、光路変更ミラー１３、レンズ部１４、切替ミラー３０を通って透過型スクリーン７、または、外部表示部５０に投射されるようになっている。
なお、光源部１１には、白色ランプ、高圧水銀灯、ＬＥＤなど公知の手段が適宜用いられる。
【００２５】
液晶パネル１２は、制御手段（図示しない）からの制御信号に基づき、元映像を表示するものであり、主に、液晶、偏光フィルタ、配向膜、電極、ＲＧＢのカラーフィルタなどを有して構成される。
この液晶パネル１２は、制御手段（図示しない）からの映像信号に基づいて液晶分子の配列の方位角が適宜変更されて、液晶パネル１２上に元映像が作成される。このようにして作成された元映像は、光源部１１から送られた光が液晶分子の配列に沿って液晶パネル１２の前部から後部へ透過することで、元映像を視認可能な映像用光に変換して後記する光路変更ミラー１３に向けて出射する。
【００２６】
光路変更ミラー１３は、液晶パネル１２から送られてきた映像用光を反射して映像用光の光路をレンズ部１４の方向へ変更するものである。光路変更ミラー１３は、主に、略長方形状に形成されたミラーを有して構成されており、ミラー面を液晶パネル１２およびレンズ部１４に対して所定角度傾斜させて固定されている。なお、ミラーの配置については後に詳述する。
【００２７】
レンズ部１４は、光路変更ミラー１３から入射した映像用光を、レンズ面を透過させることにより、本体表示部３、または、外部表示部５０に表示させるサイズに拡大して、拡大した映像用光を切替ミラー３０に向けて出射するものである。レンズ部１４は、使用時に、切替ミラー３０と同軸上に位置するようになっている。詳しくは、後記する。
レンズ部１４は、公知の拡大レンズが一枚、もしくは、複数枚組み合わされて構成される。また、必要に応じて、凹レンズも組み合わされる。
【００２８】
再び、図１に示すように、切替ミラー３０は、レンズ部１４から入射した映像用光を透過型スクリーン７の背面側または外部表示部５０の正面側に反射するものであって、主に、プラスチックなどで形成された外枠３１と、この外枠３１に周りを囲まれた公知のミラーと、を有して構成される。
【００２９】
切替ミラー３０は、本体表示部３の側面部から切替ミラー３０の外枠３１の側面部に向かって略水平に延びる棒状の支持部材４０により、本体表示部３の背面側から所定距離離間した位置で本体表示部３に回動可能に支持されている。切替ミラー３０を前後方向に所定量において回動させて傾斜角度を調節することにより、映像用光の反射方向を切り替えて、透過型スクリーン７、または、外部表示部５０に反射する。なお、切替ミラー３０の傾斜角度および光路変更ミラー１３との位置関係については後述する。
切替ミラー３０は、透過型スクリーン７の上部と下部とで、切替ミラー３０からの投射距離を揃えるため、透過型スクリーン７から所定距離離間して配置させる。切替ミラー３０と透過型スクリーン７間の距離を大きくすると、透過型スクリーン７の上部と下部に表示される投射映像のむらを減少させることができる。
【００３０】
支持部材４０は、切替ミラー３０を本体表示部３の背面側に離間させて回動可能に支持するものである。
支持部材４０は、例えば、一端部が回動部４２を介して本体表示部３の側面部に取り付けられる中空円筒状の支持アーム４０ａと、他端部が回動部４１を介して切替ミラー３０の側面部に取り付けられる支持アーム４０ａより小径のスライドアーム４０ｂとが組み合わされて一本の長棒状に形成されている。
【００３１】
スライドアーム４０ｂは、支持アーム４０ａの内部を支持アーム４０ａに沿って前後方向に摺動可能であって、切替ミラー３０を本体表示部３の背面側へ近接させ、または、本体表示部３の背面側から離間させることができる。
【００３２】
回動部４１、４２は、例えば、ねじ機構を有するように形成されており、例えば、ねじをゆるめて支持部材４０、または、切替ミラー３０を、所望の位置まで回動させてからねじを締めることにより、支持部材４０、または、切替ミラー３０を所望の位置で固定することができるようになっている。
【００３３】
外部表示部５０は、多人数が同時に投射映像を確認することができるように投射映像を大画面表示するための表示手段であり、あらかじめ映像表示装置本体１ａから離間して配置されている。
外部表示部５０としては、例えば、壁などに設置された反射型スクリーン、または、透過型スクリーンなどを用いることができる。
なお、外部表示部５０に代えて、白壁などを用いてもよい。
【００３４】
ここで、本実施形態における各部材の配置について説明する。参照する図面において、図５は、本発明のプロジェクタ機能付映像表示装置の各部材の位置関係を説明するための説明図であり、図６は、本発明のプロジェクタ機能付映像表示装置の透過型スクリーンの背面側に映像用光を反射する場合の光路変更ミラーおよび切替ミラーの角度および位置関係を示す図であり、図７は、本発明のプロジェクタ機能付映像表示装置の外部表示部５０の正面側に映像用光を反射する場合の光路変更ミラーおよび切替ミラーの角度および位置関係を示す図である。
なお、図５から図７中の一点鎖線は、光軸を示すものとする。
【００３５】
図５に示すように、画角をθ、液晶パネル１２から光路変更ミラー１３までの光軸上の距離をＬ１、光路変更ミラー１３からレンズ部１４までの光軸上の距離をＬ２、レンズ部１４から切替ミラー３０までの光軸上の距離をＬ３、切替ミラー３０から外部表示部５０までの光軸上の距離をＬ４、液晶パネル１２の幅をＷ１、透過型スクリーン７、または、外部表示部５０の幅をＷｓ、レンズ部１４の焦点距離をｆとすると、以下の数式１が成立する。なお、ここでは、代表して外部表示部５０への映像の表示について説明する。
【００３６】
【数１】
2008076814.tif 000003
そして、切替ミラー３０の幅Ｗｍ１は、傾斜角度をφ１としたときに、数式２を満たすように規定される。
【００３７】
【数２】
2008076814.tif 000004
同様にして、光路変更ミラー１３の幅Ｗｍ２は、光路変更ミラー１３の傾斜角度をφ２としたときに、数式３を満たすように規定される。
【００３８】
【数３】
2008076814.tif 000005
【００３９】
また、図６に示すように、外部表示部５０の正面側に映像用光を反射する場合の切替ミラー３０と光路変更ミラー１３の傾斜角度および位置は、光路変更ミラー１３および切替ミラー３０の傾斜角度をφ、光路変更ミラー１３と切替ミラー３０との光軸上の水平距離をｂ、垂直距離をｈとしたときに、数式４を満たすように規定される。
【００４０】
【数４】
2008076814.tif 000006
【００４１】
また、図７に示すように、透過型スクリーン７の背面側に映像用光を反射する場合の切替ミラー３０と光路変更ミラー１３の傾斜角度および位置は、切替ミラー３０の傾斜角度をφ２、光路変更ミラー１３の傾斜角度をφ１、切替ミラー３０および光路変更ミラー１３の光軸上の水平距離をｂ、垂直距離をｈとしたときに、数式５を満たすように規定される。
【００４２】
【数５】
2008076814.tif 000007
【００４３】
数式５を満たすように切替ミラー３０と光路変更ミラー１３の傾斜角度を調整することで、映像用光が図６に示す光路を通って外部表示部５０に投射映像を表示させることが可能となる。なお、映像用光が図７に示す光路を通って透過型スクリーン７に投射映像を表示させることが可能なことはもちろんである。
【００４４】
また、本実施形態において、図１または図４に示すように、筐体１６は、外筐体１７と、外筐体１７内に出し入れ可能に収容される内筐体１８とを有して構成されている。
内筐体１８は、上壁部が取り除かれて上方に開口しており、使用時には、例えば、所定量引き出すなどして、内筐体１８の一部を外筐体１７の外部に出す。これにより、図１または図３に示すように、光路変更ミラー１３およびレンズ部１４を筐体１６の外部に露出させて、レンズ部１４を切替ミラー３０と同軸上に位置させ、レンズ部１４から切替ミラー３０へ映像用光に映像用光を送ることができるようにしている。
内筐体１８の引き出し量は、何段階かにわけて、あらかじめ決められている。
【００４５】
また、本実施形態において、切替ミラー３０および筐体１６は、以下のようにして、映像表示装置本体１ａに当接するように折りたたむことができる。以下に、説明する。参照する図面において、図８は、本発明のプロジェクタ機能付映像表示装置の切替ミラー３０および筐体１６が映像表示装置本体１ａ側に折りたたまれた状態を示す図である。
【００４６】
図８の点線で示す位置から、本体表示部３が回動部５を支点として本体部２側へ回動されることによって、本体表示部３が本体部２に当接するように映像表示装置本体１ａを折りたたむことができる。さらに、支持部材４０のスライドアーム４０ｂを本体表示部３側へ収縮させ、かつ、回動部４２を支点として切替ミラー３０を回動させることにより、図８に示すように、切替ミラー３０が本体表示部３と平行となるように、切替ミラー３０を、本体表示部３の背面側に重ね合わせて折りたたむことができる。
一方、本体表示部３を回動部５を支点として本体部２から離間させる方向に回動させてＬ字状に展開するとともに、支持部材４０のスライドアーム４０ｂを本体表示部３の背面から離間する方向に伸長させ、かつ、回動部４２を支点として切替ミラー３０を回動させることにより、切替ミラー３０は展開する。
【００４７】
筐体１６は、図８に示すように、回動部２１を支点として、例えば、点線で示す位置から本体部２側へおよそ９０度回動させると、筐体１６が略垂直に起立する。このとき、筐体１６の後壁部が上面となり、筐体１６の前壁部が下面となっており、筐体１６の後壁部が、折りたたまれた切替ミラー３０の背面側と略面一になる。この状態で支持部材２０を収縮させて、筐体１６を本体部２側の背面側に当接する位置まで水平方向に移動する。このようにして、筐体１６を映像表示装置本体１ａ側に折りたたむことができる。
一方、支持部材２０を伸長させ、回動部２１を支点として筐体１６を本体部２から離間する方向に９０度回動させることにより、筐体１６は展開する。
【００４８】
このように構成されたプロジェクタ機能付映像表示装置１と外部表示部５０とを備えたプロジェクタ機能付映像表示システムによる表示手段への映像の投射について適宜図１または図３を参照して説明する。
【００４９】
あらかじめ、透過型スクリーン７と外部表示部５０とが切替ミラー３０を挟んで対向して配置されるようにプロジェクタ機能付映像表示装置１を位置決めする。
また、表示手段に合わせて、切替ミラー３０の傾斜角度をあらかじめ調節して位置決めする。
【００５０】
そして、ユーザがキーボード４から入力した入力信号に基づき、制御手段（図示しない）が液晶パネル１２に映像信号を送信して、液晶パネル１２に元映像を表示させる。
このとき、制御手段（図示しない）は、表示手段に応じて、元映像を鏡像反転させて表示する。すなわち、本実施形態では、本体表示部３と外部表示部５０とが、切替ミラー３０を挟んで対向する位置にくるようにプロジェクタ機能付映像表示装置１を配置することから、いずれか一方の表示手段（例えば、本体表示部３）に表示する目的で、後記する液晶パネル１２に表示した元映像を、そのまま他方の表示手段（この場合、外部表示部５０）に反射すると、他方の表示手段（この場合、外部表示部５０）には、元映像が反転して表示される。このように映像が反転して表示されることを防止するため、一方の表示手段に対する他方の表示手段に向けて映像用光を反射する場合には、液晶パネル１２上に、元映像をあらかじめ鏡像反転させて表示させる。
【００５１】
そして、制御手段（図示しない）が光源部１１に信号を送信して光源部１１を発光させて、液晶パネル１２に例えば、白色光を出射する。この白色光が液晶パネル１２に正面側から入射して背面側へ透過することにより、液晶パネル１２に表示された元映像が視認可能な映像用光に変換される。液晶パネル１２を透過した映像用光は、前方の光路変更ミラー１３に入射する。
光路変更ミラー１３は、入射した映像用光を反射して光路をレンズ部１４方向に変更してレンズ部１４に向けて出射する。レンズ部１４に入射した映像用光は、レンズ部１４を透過して拡大され、切替ミラー３０に向けて出射する。
切替ミラー３０は、入射した映像用光を透過型スクリーン７の背面側に反射し、または、外部表示部５０の正面側に反射する。
【００５２】
図３に示すように、映像用光が透過型スクリーン７の背面側に入射すると、そのまま、透過型スクリーン７の正面側へ透過して、透過型スクリーン７の正面側に投射映像が表示される。
これにより、ユーザは、映像表示装置本体１ａを操作しながら、透過型スクリーン７に表示された投射映像を手元で確認することができる。
また、図１に示すように、映像用光が外部表示部５０の正面側に入射すると、入射した映像用光が外部表示部５０の正面側に投射映像として表示される。これにより、多人数が同時に映像を確認することができる。
【００５３】
以上のように、本実施形態にかかるプロジェクタ機能付映像表示装置１によれば、切替ミラー３０が光学ユニット１０から入射した映像用光の反射方向を所定角度において回動させて切り替えることで、本体表示部３に投射映像を表示させ、または、あらかじめ外部に設置した外部表示部５０に投射映像を表示させることができる。
このため、プロジェクタ機能付映像表示装置１の構成が簡単となり、プロジェクタ機能付映像表示装置１を小型化、軽量化することができ、プロジェクタ機能付映像表示装置１の取り扱いや携帯が容易となる。
【００５４】
以上、本発明は、前記した実施形態に限定されることなく、様々な形態で実施される。
例えば、本実施形態では、筐体１６を外筐体１７、内筐体１８とで形成したが、これに限られない。すなわち、筐体１６は、レンズ部１４から切替ミラー３０への光路を妨げないものであればよいので、筐体１６を外筐体１７と略同寸法の１個の筐体として透明な素材で形成してもよい。この場合、支持部材２０を何段階かに分けて伸縮するようにして、レンズ部１４の位置決めをしてもよい。
また、筐体１６を外筐体１７と略同寸法の１個の筐体で形成し、筐体１６の上部の表面にレンズ部１４を埋め込んでレンズ部１４から切替ミラー３０に映像用光を入射させてもよい。この場合も、支持部材２０を何段階かに分けて伸縮するようにして、レンズ部１４の位置決めをしてもよい。
【００５５】
また、切替ミラー３０は、本体表示部３に着脱自在に接続されていてもよい。
また、支持部材４０は、一端部が、回動部４２を介して本体表示部３の側面部に着脱自在に接続されていてもよいし、他端部が、回動部４１を介して切替ミラー３０の側面部に着脱自在に接続されていてもよい。
【図面の簡単な説明】
【００５６】
【図１】本発明のプロジェクタ機能付映像表示装置の全体構成図であって、切替ミラーが外部表示部の正面側に映像用光を反射する様子を示す図である。
【図２】本発明のプロジェクタ機能付映像表示装置の映像表示装置本体を後方からみた斜視図である。
【図３】本発明のプロジェクタ機能付映像表示装置の全体構成図であって、切替ミラーが本体表示部の背面側に映像用光を反射する様子を示す図である。
【図４】本実施形態のプロジェクタ機能付映像表示装置の光学ユニットを上面から見た状態の部分拡大図である。
【図５】本発明のプロジェクタ機能付映像表示装置の各部材の位置関係を説明するための説明図である。
【図６】本発明のプロジェクタ機能付映像表示装置の本体表示部の背面側に映像用光を反射する場合の光路変更ミラーおよび切替ミラーの角度および位置関係を示す図である。
【図７】本発明のプロジェクタ機能付映像表示装置の外部表示部の正面側に映像用光を反射する場合の光路変更ミラーおよび切替ミラーの角度および位置関係を示す図である。
【図８】本発明のプロジェクタ機能付映像表示装置の切替ミラーおよび筐体が映像表示装置本体側に折りたたまれた状態を示す図である。
【符号の説明】
【００５７】
１      映像表示装置
１ａ    映像表示装置本体
２      本体部
３      本体表示部
５      回動部
７      透過型スクリーン
１０    光学ユニット
１１    光源部
１２    液晶パネル
１３    光路変更ミラー
１４    レンズ部
１５    冷却ファン
１６    筐体
２０    支持部材
２１    回動部
３０    切替ミラー
４０    支持部材
４１、４２    回動部
５０    外部表示部
【図１】
2008076814.tif 000008
【図２】
2008076814.tif 000009
【図３】
2008076814.tif 000010
【図４】
2008076814.tif 000011
【図５】
2008076814.tif 000012
【図６】
2008076814.tif 000013
【図７】
2008076814.tif 000014
【図８】
2008076814.tif 000015